(57)【要約】【課題】室内ファンの吸込側にグリル部の設けられた空気調和装置の室内ユニットにおいて、該グリル部に付着した塵埃をユーザーの手を煩わせることなく容易に除去できるような構成を得る。【解決手段】吸込グリル（29）の室内側の面に付着した塵埃を除去するためのグリル塵埃除去手段（60）を設ける。このグリル塵埃除去手段（60）は、回転ブラシ（61）を備えていて、該回転ブラシ（61）は、グリル用塵埃貯留容器（65）の上面に形成されたブラシ用開口（66）内に配置される。上記グリル用塵埃貯留容器（65）は、上記吸込グリル（29）が昇降機構（80）によって上方に位置付けられた状態で、移動機構（70）によって、該吸込グリル（29）の室内側の面に沿って水平方向に移動するように構成されている。【選択図】図５
2009008303.tif 000002
【特許請求の範囲】
【請求項１】
ケーシング（34）内に、室内熱交換器（37）と、室内から空気を吸い込んで上記室内熱交換器（37）へ吹き出す室内ファン（39）と、該室内ファン（39）の吸込側に位置するグリル部（29）とを備えた室内ユニット（13）を有する空気調和装置であって、
上記グリル部（29）に付着した塵埃を除去するグリル塵埃除去手段（60）を備えていることを特徴とする空気調和装置の室内ユニット。
【請求項２】
請求項１において、
上記グリル塵埃除去手段（60）によって上記グリル部（29）から除去された塵埃を捕集するグリル用塵埃捕集部（65）をさらに備えていることを特徴とする空気調和装置の室内ユニット。
【請求項３】
請求項１または２において、
上記室内ファン（39）の吸込側で該室内ファン（39）と上記グリル部（29）との間に配設されるエアフィルタ（40）と、
上記エアフィルタ（40）に捕捉された塵埃を除去するフィルタ塵埃除去手段（50）と、をさらに備えていることを特徴とする空気調和装置の室内ユニット。
【請求項４】
請求項３において、
上記フィルタ塵埃除去手段（50）によって上記エアフィルタ（40）から除去された塵埃を捕集するフィルタ用塵埃捕集部（55）をさらに備えていることを特徴とする空気調和装置の室内ユニット。
【請求項５】
請求項１において、
上記室内ファン（39）の吸込側で該室内ファン（39）と上記グリル部（29）との間に配設されるエアフィルタ（40）をさらに備えていて、
上記グリル塵埃除去手段（90）は、上記エアフィルタ（40）に捕捉された塵埃も除去するように構成されていることを特徴とする空気調和装置の室内ユニット。
【請求項６】
請求項５において、
上記グリル塵埃除去手段（90）によって上記グリル部（29）及びエアフィルタ（40）から除去された塵埃を捕集する塵埃捕集部（95）をさらに備えていることを特徴とする空気調和装置の室内ユニット。
【請求項７】
請求項２、４、６のいずれか一つにおいて、
上記塵埃捕集部（55,65,95）は、ケーシング（34）に対して着脱可能に設けられていることを特徴とする空気調和装置の室内ユニット。
【請求項８】
請求項１から７のいずれか一つにおいて、
上記グリル部（29）から塵埃を除去する際に、該グリル部（29）を通常運転時よりも上方へ移動させるグリル昇降手段（80）をさらに備えていて、
上記グリル塵埃除去手段（60,90）は、上記グリル部（29）の室内側の面に沿って相対移動するように構成されていることを特徴とする空気調和装置の室内ユニット。
【発明の詳細な説明】
【技術分野】
【０００１】
本発明は、空気調和装置の室内ユニットに関し、特に、該室内ユニットに付着する塵埃の除去対策に係るものである。
【背景技術】
【０００２】
従来より、空気調和装置の室内ユニットとして、例えば天井面に設置されるものが知られている。この種の室内ユニットは、例えば特許文献１に開示されるように、天井裏に配置されるケーシング内に、室内ファンと、該室内ファンの吸込側に位置するエアフィルタと、該室内ファンの吹き出し側に位置する室内熱交換器と、が配設されている。これにより、エアフィルタを介して室内ファンに吸い込まれた室内空気は、該室内ファンから吹き出された後、室内熱交換器内の冷媒と熱交換して、室内側へ戻される。
【０００３】
なお、上記エアフィルタのさらに室内側には、ケーシングの一部を構成するグリル部が設けられていて、上述のように室内空気を室内ファンによって吸い込む場合、該グリル部及びエアフィルタを室内空気が通過することになる。
【０００４】
そして、上述の構成では、上記室内ファンに吸い込まれる室内空気中の塵埃は、上記エアフィルタによって捕捉され、該室内ファンには塵埃の少ない空気が流れることになる。しかしながら、上記エアフィルタに多量の塵埃が捕捉されたまま放置すると、該エアフィルタが目詰まりを生じて、室内ファンへの空気の流れを阻害してしまう。
【０００５】
これに対し、上記特許文献１に開示される構成のように、上記エアフィルタに捕捉された塵埃を除去する塵埃除去手段を設けたものが知られている。これにより、該エアフィルタが塵埃によって目詰まりを生じるのを防止することができる。
【特許文献１】特開２００７−４０６８９号公報
【発明の開示】
【発明が解決しようとする課題】
【０００６】
しかしながら、上述のように、室内ファンの吸込側には、エアフィルタだけでなく、ケーシングの一部を構成するグリル部も設けられているため、エアフィルタほど多量ではないが、該グリル部にも塵埃が付着してしまう。
【０００７】
このように上記グリル部に塵埃が付着すると、室内側から塵埃が見えるだけでなく、風の流れや振動等によって塵埃が室内に落下する恐れがあり、衛生上もあまり好ましくない。
【０００８】
また、上記グリル部に多量の塵埃が付着すると、該グリル部での通風抵抗が大きくなり、風の流れが大きく阻害され、室内ユニットの運転性能を低下させる可能性もある。
【０００９】
このような事態を防ぐためにも、上記グリル部に付着した塵埃を定期的に除去する必要があるが、上述のとおり、室内ユニットは天井面に設置されているため、上記グリル部を清掃する際には作業者は高所で清掃作業を行う必要があり、ユーザーにとって煩わしい作業となっていた。
【００１０】
本発明は、斯かる諸点に鑑みてなされたものであり、その目的とするところは、室内ファンの吸込側にグリル部の設けられた空気調和装置の室内ユニットにおいて、該グリル部に付着した塵埃をユーザーの手を煩わせることなく容易に除去できるような構成を得ることにある。
【課題を解決するための手段】
【００１１】
上記目的を達成するために、本発明に係る空気調和装置（10）の室内ユニット（13）では、室内ファン（39）の吸込側に位置するグリル部（29）に付着した塵埃を除去するためのグリル塵埃除去手段（60）を設けた。
【００１２】
具体的には、第１の発明では、ケーシング（34）内に、室内熱交換器（37）と、室内から空気を吸い込んで上記室内熱交換器（37）へ吹き出す室内ファン（39）と、該室内ファン（39）の吸込側に位置するグリル部（29）とを備えた室内ユニット（13）を有する空気調和装置を対象とする。そして、上記グリル部（29）に付着した塵埃を除去するグリル塵埃除去手段（60）を備えているものとする。
【００１３】
この構成により、室内ファン（39）の吸込側に位置するグリル部（29）には、該室内ファン（39）の室内空気の吸い込みによって、該室内空気中の塵埃が付着する。このグリル部（29）に付着した塵埃は、グリル塵埃除去手段（60）によって除去される。これにより、上記グリル部（29）に塵埃が付着した場合に、天井面のグリル部（29）まで上って該グリル部（29）から塵埃を除去する作業を行う必要がなくなるので、高所作業が不要になり、塵埃除去作業の作業効率の向上を図れる。
【００１４】
しかも、上述のように、上記グリル部（29）に付着した塵埃は上記グリル塵埃除去手段（60）によって除去されるので、該グリル部（29）に塵埃が付着しているのが室内側から見えたり、その付着した塵埃が振動や空気の流れによって室内に落下したりするのを確実に防止することができる。
【００１５】
上述の構成において、上記グリル塵埃除去手段（60）によって除去された塵埃を捕集するグリル用塵埃捕集部（65）をさらに備えているものとする（第２の発明）。これにより、上記グリル塵埃除去手段（60）によってグリル部（29）から除去された塵埃を一旦、グリル用塵埃捕集部（65）に溜めることができる。よって、塵埃回収の頻度を低減することが可能となる。
【００１６】
また、上記室内ファン（39）の吸込側で該室内ファン（39）と上記グリル部（29）との間に配設されるエアフィルタ（40）と、上記エアフィルタ（40）に捕捉された塵埃を除去するフィルタ塵埃除去手段（50）と、をさらに備えているのが好ましい（第３の発明）。
【００１７】
上記室内ファン（39）の吸込側に位置するエアフィルタ（40）には、室内空気中の塵埃が捕捉されるため、上述のようにフィルタ塵埃除去手段（50）を設けることによって、該エアフィルタ（40）に捕捉された塵埃を除去することができる。したがって、上記室内ファン（39）の吸込側に位置するエアフィルタ（40）から塵埃を除去する際にも、高所作業を行う必要がなくなる。しかも、上述のように、グリル部（29）に加えてエアフィルタ（40）の塵埃も除去することで、上記室内ファン（39）の吸込側の通気抵抗の増大を確実に防止することができる。
【００１８】
また、上記フィルタ塵埃除去手段（50）を備えている構成において、上記フィルタ塵埃除去手段（50）によって上記エアフィルタ（40）から除去された塵埃を捕集するフィルタ用塵埃捕集部（55）をさらに備えているのが好ましい（第４の発明）。これにより、上記フィルタ塵埃除去手段（50）によってエアフィルタ（40）から除去した塵埃を一旦、フィルタ用塵埃捕集部（55）内に溜めることができる。よって、塵埃回収の頻度を低減することができる。
【００１９】
上述のように、グリル部（29）及びエアフィルタ（40）の塵埃を除去するための塵埃除去手段（50,60）をそれぞれ設けるのではなく、一つの塵埃除去手段によって該グリル部（29）及びエアフィルタ（40）の塵埃を除去するように構成してもよい。具体的には、上記室内ファン（39）の吸込側で該室内ファン（39）と上記グリル部（29）との間に配設されるエアフィルタ（40）をさらに備えていて、上記グリル塵埃除去手段（90）は、上記エアフィルタ（40）に捕捉された塵埃も除去するように構成されていてもよい（第５の発明）。
【００２０】
こうすることで、上記グリル部（29）及びエアフィルタ（40）に対して、別々に塵埃除去手段を設ける必要がなくなるため、室内ユニット（13）の構成の簡略化及びコスト低減を図れる。
【００２１】
また、上述のように一つの塵埃除去手段（90）によってグリル部（29）及びエアフィルタ（40）の塵埃を除去する構成においても、上記グリル塵埃除去手段（90）によって上記グリル部（29）及びエアフィルタ（40）から除去された塵埃を捕集する塵埃捕集部（95）をさらに備えているのが好ましい（第６の発明）。
【００２２】
これにより、グリル塵埃除去手段（90）によって除去された塵埃を、塵埃捕集部（95）に一旦、溜めることができるため、塵埃の回収頻度を低減することができる。しかも、上記グリル部（29）及びエアフィルタ（40）から除去された塵埃を一つの塵埃捕集部（95）に溜めるため、それぞれに塵埃捕集部を設ける場合に比べて、塵埃の回収作業を軽減することができる。
【００２３】
また、上記塵埃捕集部（55,65,95）は、ケーシング（34）に対して着脱可能に設けられているのが好ましい（第７の発明）。このようにケーシング（34）に対して着脱可能に設けることで、上記塵埃捕集部内の塵埃を回収する際には、該塵埃捕集部をケーシング（34）から取り外して容易に塵埃回収することが可能となる。
【００２４】
さらに、上記グリル部（29）から塵埃を除去する際に、該グリル部（29）を通常運転時よりも上方へ移動させるグリル昇降手段（80）をさらに備えていて、上記グリル塵埃除去手段（60,90）は、上記グリル部（29）の室内側の面に沿って相対移動するように構成されているのが好ましい（第８の発明）。
【００２５】
これにより、室内に面するグリル部（29）が上方に移動した状態で、該グリル部（29）の室内側の面に沿ってグリル塵埃除去手段（60）が移動するので、該グリル部（29）の室内側の面に付着した塵埃を該グリル塵埃除去手段（60）によって除去することができる。また、上述のように、グリル部（29）を上方へ移動させるグリル昇降手段（80）を設けることで、該グリル部（29）の塵埃を除去する際には、該グリル部（29）を室内ユニット（13）のケーシング（34）内方に位置付けることが可能になるため、上記グリル塵埃除去手段（60）をケーシング（34）内に設けて、該ケーシング（34）内でグリル部（29）の塵埃除去を行うことが可能になる。
【００２６】
すなわち、上述の構成により、室内に面するグリル部（29）の室内側の面に付着した塵埃を、室内ユニット（13）のケーシング（34）内に収納されたグリル塵埃除去手段（60）によって除去することができる。
【発明の効果】
【００２７】
以上のように、本発明によれば、室内ユニット（13）は、室内ファン（39）の吸込側に位置するグリル部（29）に付着した塵埃を除去するためのグリル塵埃除去手段（60）を備えているため、該グリル部（29）に塵埃が付着しても、該塵埃を確実に除去することができる。これにより、室内側からの見栄えが悪くなったり、振動や風によって塵埃が室内に落下したりするのを未然に防止することができる。しかも、上記グリル塵埃除去手段（60）を設けることで、上記グリル部（29）に付着した塵埃を除去するために高所作業を行う必要がなくなるため、該グリル部（29）に付着した塵埃を容易に除去することができる。
【００２８】
また、第２の発明によれば、室内ユニット（13）は、上記グリル塵埃除去手段（60）によってグリル部（29）から除去された塵埃を捕集するグリル用塵埃捕集部（65）を備えているため、該グリル部（29）から除去した塵埃をグリル用塵埃捕集部（65）に一旦、溜めることができ、塵埃回収の頻度を低減することができる。
【００２９】
また、第３の発明によれば、室内ユニット（13）は、室内ファン（39）の吸込側で該室内ファン（39）とグリル部（29）との間に位置するエアフィルタ（40）の塵埃を除去するフィルタ塵埃除去手段（50）を備えているため、上記室内ファン（39）の吸込側の塵埃をより確実に除去することができ、該吸込側の通気抵抗の増大をより確実に防止することができる。しかも、エアフィルタ（40）からの塵埃除去のための高所作業が不要になるため、塵埃作業の作業性の向上を図ることができる。
【００３０】
また、第４の発明によれば、室内ユニット（13）は、上記フィルタ塵埃除去手段（50）によってエアフィルタ（40）から除去された塵埃を捕集するフィルタ用塵埃捕集部（55）を備えているため、該エアフィルタ(40）から除去した塵埃をフィルタ用塵埃捕集部（55）に一旦、溜めることができ、塵埃回収の頻度を低減することができる。
【００３１】
また、第５の発明によれば、上記グリル塵埃除去手段（90）は、上記室内ファン（39）の吸込側で該室内ファン（39）とグリル部（29）との間に位置するエアフィルタ（40）に捕捉された塵埃も除去するように構成されているため、上記グリル部（29）及びエアフィルタ（40）の塵埃除去手段（90）を共通化することができる。これにより、上記エアフィルタ（40）専用の塵埃除去手段を省略できる分、室内ユニット（13）の構成の簡略化及びコスト低減を図れる。
【００３２】
また、第６の発明によれば、室内ユニット（13）は、上記グリル塵埃除去手段（90）によってグリル部（29）及びエアフィルタ（40）から除去された塵埃を捕集する塵埃捕集部（95）を備えているため、別々に塵埃捕集部を設ける場合に比べて、塵埃回収の頻度を低減することができ、回収作業の作業性の向上を図れる。
【００３３】
また、第７の発明によれば、上記塵埃捕集部（55,65,95）は、室内ユニット（13）のケーシング（34）に対して着脱可能に設けられているため、該塵埃捕集部（55,65,95）をケーシング（34）から取り外すことで、該塵埃捕集部（55,65,95）から塵埃を容易に回収することができる。
【００３４】
さらに、第８の発明によれば、上記グリル部（29）から塵埃を除去する際に、該グリル部（29）を上方へ移動させるグリル昇降手段（80）を備えていて、上記グリル塵埃除去手段（50,60,90）は、上記グリル部（29）の室内側の面に沿って相対移動するように構成されているため、上記グリル塵埃除去手段（50,60,90）を室内ユニット（13）のケーシング（34）内に配置して、該ケーシング（34）内で上記グリル部（29）の室内側の面の塵埃を除去することが可能となる。これにより、上記室内ユニット（13）外に上記グリル塵埃除去手段（50,60,90）が突出した状態で配置されるのを防止でき、該室内ユニット（13）の室内側の外観を良好に保つことができる。
【発明を実施するための最良の形態】
【００３５】
以下、本発明の実施形態を図面に基づいて詳細に説明する。なお、以下の好ましい実施形態の説明は、本質的に例示に過ぎず、本発明、その適用物或いはその用途を制限することを意図するものではない。
【００３６】
《実施形態１》
本実施形態は、本発明に係る室内ユニット（13）を備えた空気調和装置（10）に関する。この空気調和装置（10）では、室内ユニット（13）が室内空間の天井に設置される。なお、以下では、まず本実施形態に係る空気調和装置（10）の構成について説明し、次に室内ユニット（13）の構成について説明する。
【００３７】
〈全体構成〉
図１に示すように、上記空気調和装置（10）は、室外ユニット（11）と室内ユニット（13）とを備えている。室外ユニット（11）には、圧縮機（30）、室外熱交換器（35）、膨張弁（36）、四路切換弁（33）および室外ファン（12）が設けられている。室内ユニット（13）には、室内熱交換器（37）および室内ファン（39）が設けられている。
【００３８】
上記室外ユニット（11）において、圧縮機（30）の吐出側は、四路切換弁（33）の第１ポート（P1）に接続されている。圧縮機（30）の吸入側は、四路切換弁（33）の第３ポート（P3）に接続されている。
【００３９】
上記室外熱交換器（35）は、クロスフィン式のフィン・アンド・チューブ型熱交換器として構成されている。室外熱交換器（35）の一端は、四路切換弁（33）の第４ポート（P4）に接続されている。室外熱交換器（35）の他端は、液側閉鎖弁（15）に接続されている。
【００４０】
上記室外ファン（12）は、室外熱交換器（35）の近傍に設けられている。室外熱交換器（35）では、室外ファン（12）によって送られる室外空気と該熱交換器（35）内を流通する冷媒との間で熱交換が行われる。室外熱交換器（35）と液側閉鎖弁（15）との間には、開度可変の膨張弁（36）が設けられている。また、四路切換弁（33）の第２ポート（P2）はガス側閉鎖弁（16）に接続されている。
【００４１】
上記四路切換弁（33）は、第１ポート（P1）と第２ポート（P2）とが互いに連通し且つ第３ポート（P3）と第４ポート（P4）とが互いに連通する第１状態（図１に実線で示す状態）と、第１ポート（P1）と第４ポート（P4）とが互いに連通し且つ第２ポート（P2）と第３ポート（P3）とが互いに連通する第２状態（図１に破線で示す状態）とが切り換え可能になっている。
【００４２】
この空気調和装置（10）では、四路切換弁（33）が第１状態の場合、暖房運転が行われ、四路切換弁（33）が第２状態の場合、冷房運転が行われる。暖房運転では、冷媒回路（18）において、室外熱交換器（35）が蒸発器として機能し且つ室内熱交換器（37）が凝縮器として機能する蒸気圧縮式冷凍サイクルが行われる。一方、冷房運転では、冷媒回路（18）において、室外熱交換器（35）が凝縮器として機能し且つ室内熱交換器（37）が蒸発器として機能する蒸気圧縮式冷凍サイクルが行われる。
【００４３】
〈室内ユニットの構成〉
以下で、上記室内ユニット（13）の構成を図２から図８に基づいて詳しく説明する。
【００４４】
図２に示すように、上記室内ユニット（13）は、ケーシング本体（26）と上記化粧パネル（27）とを有するケーシング（34）を備えている。このケーシング（34）内には、室内熱交換器（37）、ドレンパン（38）、室内ファン（39）、エアフィルタ（40）、フィルタ塵埃除去手段（50）、フィルタ用塵埃貯留容器（55）（フィルタ用塵埃捕集部）、グリル塵埃除去手段（60）およびグリル用塵埃貯留容器（65）（グリル用塵埃捕集部）が設けられている。
【００４５】
上記ケーシング本体（26）は、下側が開放された略直方体の箱状に形成されている。ケーシング本体（26）の内面には、断熱材（17）が積層されている。また、上記ケーシング本体（26）は、下部が天井板（1）の開口を挿通した状態で設置されるように、天井裏の天井面から吊り支持されている。
【００４６】
上記化粧パネル（27）は、矩形の板状に形成されている（図３参照）。化粧パネル（27）の平面視形状は、ケーシング本体（26）の平面視形状よりも一回り大きくなっている。化粧パネル（27）は、シール部材（19）を間に挟んだ状態でケーシング本体（26）の下側を覆うように取り付けられる。これにより、上記化粧パネル（27）は、ケーシング本体（26）に取り付けられた状態で、室内側に露出している。
【００４７】
図３に示すように、上記化粧パネル（27）には、１つの吸込口（22）と４つの吹出口（23）とが形成されている。上記吸込口（22）は、化粧パネル（27）の中央部に矩形状に形成されていて、スリット状の吸込グリル（29）（グリル部）が嵌め込まれている。上記各吹出口（23）は、化粧パネル（27）の各辺に沿うように細長い矩形状に形成されている。そして、各吹出口（23）には、風向調整板（23a）が設けられている（図２等参照）。この風向調整板（23a）は、回動して風向（吹出方向）を調整するように構成されている。
【００４８】
上記室内ファン（39）は、いわゆるターボファンである。図２に示すように、室内ファン（39）は、ケーシング本体（26）の中央付近に配置され、吸込口（22）の上側に位置している。室内ファン（39）は、ファンモータ（39a）と羽根車（39b）とを備えている。ファンモータ（39a）は、ケーシング本体（26）の天板に固定されている。羽根車（39b）は、ファンモータ（39a）の回転軸に連結されている。室内ファン（39）の下側には、吸込口（22）に連通するようにベルマウス（25）が設けられている。このベルマウス（25）は、ケーシング（34）内において、室内熱交換器（37）の上流側の空間を室内ファン（39）側と吸込グリル（29）側とに区画している。上記室内ファン（39）は、ベルマウス（25）を介して下側から吸い込んだ空気を周方向へ吹き出すように構成されている。
【００４９】
上記室内熱交換器（37）は、クロスフィン式のフィン・アンド・チューブ型熱交換器として構成されている。室内熱交換器（37）は、平面視でロ字状に形成され、室内ファン（39）を囲むように配置されている。室内熱交換器（37）では、室内ファン（39）によって送られる室内空気（吹出空気）と該熱交換器（37）内を流通する冷媒との間で熱交換が行われる。
【００５０】
上記ドレンパン（38）は、室内熱交換器（37）の下側に設けられている。ドレンパン（38）は、室内熱交換器（37）において空気中の水分が凝縮して生じるドレン水を受けるためのものである。ドレンパン（38）には、ドレン水を排水するためのドレンポンプが設けられている（図示省略）。ドレンパン（38）は、ドレンポンプを設置した箇所にドレン水が集まるように勾配がつけられている。
【００５１】
上記エアフィルタ（40）は、長いシート状に形成され、ベルマウス（25）の下方（入口側）に配設されている。なお、上記エアフィルタ（40）は、ケーシング（34）内に取り外し可能に取り付けられている。
【００５２】
上記フィルタ塵埃除去手段（50）は、上記エアフィルタ（40）に捕捉された塵埃を除去するためのものである。上記フィルタ塵埃除去手段（50）は、図２、図４〜図７に示すように、ブラシ部材である回転ブラシ（51）を備えている。
【００５３】
上記回転ブラシ（51）は、棒状のシャフト部と、シャフト部の周囲の複数の植毛により構成されたブラシ部とを備えている。回転ブラシ（51）は、エアフィルタ（40）の下方に位置するように、後述するフィルタ用塵埃貯留容器（55）のブラシ用開口（56）内に配置されている。上記回転ブラシ（51）は、上記フィルタ用塵埃貯留容器（55）とともにエアフィルタ（40）に対して移動し、ブラシ部が該エアフィルタ（40）に接触することにより塵埃を除去するよう構成されている。なお、上記回転ブラシ（51）は、エアフィルタ（40）の下面（室内側の面）に押し付けられるように配置されているため、塵埃をブラシ部によって確実に除去することができる。
【００５４】
上記フィルタ用塵埃貯留容器（55）は、回転ブラシ（51）によって除去されたエアフィルタ（40）の塵埃が一旦貯留されるものである。フィルタ用塵埃貯留容器（55）は、やや細長い直方体状の容器であり、上記エアフィルタ（40）の下方に該エアフィルタ（40）を横断するように配置されている（図２等参照）。また、上記フィルタ用塵埃貯留容器（55の上面には、長手方向に延びるブラシ用開口（56）が形成されていて、上述のとおり、該ブラシ用開口（56）内に上記回転ブラシ（51）が回転可能に配設される。なお、図２等に示すように、この回転ブラシ（51）は、そのブラシ部の一部が容器外に突出するように上記ブラシ用開口（56）内に配置されている。
【００５５】
また、上記室内ユニット（13）は、図６に示すように、上記フィルタ用塵埃貯留容器（55）及び回転ブラシ（51）を水平方向（図２において左右方向）に移動させるための移動機構（70）を有している。この移動機構（70）は、図示しないモータに駆動連結された２つのプーリ（71,72）にベルト（73）が懸架されたものであり、該ベルト（73）の外周面に一体形成された突起部（73a,73a）によって上記フィルタ用塵埃貯留容器（55）を搬送するように構成されている。なお、上記移動機構（70）は、上記吸込グリル（29）に対して該吸込グリル（29）の各ルーバーに沿って上記回転ブラシ（51）を移動させるように構成されているのが好ましい。このように構成することで、上記回転ブラシ（51）によって、上記吸込グリル（29）に付着した塵埃をより効率良く除去することができるからである。
【００５６】
上記移動機構（70）について以下でより詳細に説明する。上記移動機構（70）は、図７に示すように、上記エアフィルタ（40）の幅方向中央付近に配置されている。上記移動機構（70）のベルト（73）の外周面には、互いに対向する位置（１８０度ずれた位置）に２つの突起部（73a,73a）が一体形成されている。すなわち、上記図６に示すように、これらの突起部（73a,73a）は、上記ベルト（73）が２つのプーリ（71,72）に懸架された状態で、１８０度ずれた位置で外方に突出している。
【００５７】
上記移動機構（70）は、上記フィルタ用貯留容器（55）を図６の右方向へ移動させる場合には、上記２つの突起部（73a,73a）のうち一方の突起部（73a）が上記フィルタ用貯留容器（55）の左側に当接した状態（図６に示す状態）で、ベルト（73）を時計方向に回転させる。一方、上記フィルタ用貯留容器（55）を図６の左方向へ移動させる場合には、上記ベルト（73）を反時計方向に回転させて、上記２つの突起部（73a,73a）のうち他方の突起部（73a）（図６の下側に位置している突起部）を上記フィルタ用貯留容器（55）の一側（図６における右側）に当接させ、該ベルト（73）とともにフィルタ用貯留容器（55）を左方向へ搬送する。
【００５８】
なお、上記移動機構（70）は、エアフィルタ（40）の幅方向端部、すなわち後述するガイド部材（74,74）の近傍に配置されていてもよい。このような位置に上記移動機構（70）を配置することで、該エアフィルタ（40）の下方の吸込口（22）で該移動機構（70）が空気の流入を阻害するのを防止できる。
【００５９】
また、特に図示しないが、上記室内ユニット（13）において、上記移動機構（70）によって上記フィルタ用貯留容器（55）を左右の端（所定位置）まで搬送したことを検出する位置検出センサーを設け、該位置検出センサーの検出結果に応じてプーリ（71,72）の回転を停止するように構成するのが好ましい。
【００６０】
ここで、上記フィルタ用貯留容器（55）の長手方向両端部は、図７及び図８に示すように、ガイド部材（74,74）と係合するように構成されている。具体的には、このガイド部材（74）は、断面矩形状のレール部材からなり、上記エアフィルタ（40）を挟んで互いに略平行になるようにケーシング（34）内に配設されている。また、これらのガイド部材（74,74）は、それらの上部で、上記フィルタ用貯留容器（55）の長手方向両端部の下面に形成された溝部（55a,55a）と係合するように構成されていて、これにより、該フィルタ用貯留容器（55）はスライド移動可能になっている。
【００６１】
このように、ガイド部材（74,74）にフィルタ用貯留容器（55）の溝部（55a,55a）を係合させるような構成にすることで、該フィルタ用塵埃貯留容器（55）をケーシング（34）内から取り外すことが可能になる。すなわち、上記フィルタ用塵埃貯留容器（55）をスライド移動させることによって上記ガイド部材（74,74）から離脱させることができる。なお、上記フィルタ用塵埃貯留容器（55）がガイド部材（74,74）や吸込グリル（29）などとともに昇降するような構成の場合には、該フィルタ用塵埃貯留容器（55）を上方に持ち上げれば該ガイド部材（74,74）から離脱させることができる。
【００６２】
これにより、塵埃回収の際には、上記フィルタ用塵埃貯留容器（55）及びグリル用塵埃貯留容器（65）をガイド部材から外して、それらの内部に溜まった塵埃を容易に取り出すことができる。
【００６３】
上記グリル塵埃除去手段（60）も、上記フィルタ塵埃除去手段と同様、回転ブラシ（61）を備えている。この回転ブラシ（61）の構成は、上記フィルタ塵埃除去手段（50）の回転ブラシ（51）と同様なので、説明は省略する。
【００６４】
また、上記グリル用塵埃貯留容器（65）も、上記フィルタ用塵埃貯留容器（55）と同様、細長い直方体形状の部材からなり、その上面には、長手方向に延びるブラシ用開口（66）が形成されている。そして、このブラシ用開口（66）内にも、ブラシ部の一部が突出するように上記回転ブラシ（61）が配置されている。
【００６５】
上記グリル用塵埃貯留容器（65）は、後述するように、化粧パネル（27）の吸込グリル（29）が上方に位置付けられた状態（図４の状態）で、該吸込グリル（29）の室内側の面に上記回転ブラシ（61）が接触するような高さ位置に設けられている。そして、このグリル用塵埃貯留容器（65）も、上記フィルタ用塵埃貯留容器（55）と同様、上記図６〜８に示すような移動機構（70）やガイド部材（74,74）によって左右へ搬送される。すなわち、上記グリル用塵埃貯留容器（65）の長手方向両端部の下面には、溝部（65a,65a）が設けられていて、該溝部（65a,65a）が上記ガイド部材（74,74）に上方から係合することにより、該ガイド部材（74,74）に対してスライド移動可能になっている。なお、上記図２等に示すように、上記グリル用塵埃貯留容器（65）と化粧パネル（27）との間にスペースがほとんどない場合には、上記図６のベルト（73）の下方に該グリル用塵埃貯留容器（65）を配置して、該ベルト（73）の下側の突起（73a）で該グリル用塵埃貯留容器（65）を搬送するようにすればよい。この場合には、上記移動機構（70）は、回転ブラシ（61）と干渉しない位置（例えば上記グリル用塵埃貯留容器（65）の長手方向端部）に配置すればよい。
【００６６】
また、上記室内ユニット（13）は、上記化粧パネル（27）の吸込グリル（29）を昇降させる昇降機構（80）を有している。この昇降機構（80）は、上記吸込グリル（29）の両端部をそれぞれワイヤー（81,81）によって吊り支持するとともに、該ワイヤー（81,81）をモータ（82,82）によって巻取り若しくは巻き戻すことにより上記吸込グリル（29）を昇降させるように構成されている。すなわち、上記昇降機構（80）は、上記吸込グリル（29）に付着した塵埃を除去する際に、該吸込グリル（29）を上昇させて図４の位置に位置付ける一方、通常運転時には、該吸込グリル（29）を下降させて図２の位置に位置付けるように構成されている。
【００６７】
〈フィルタ清掃動作〉
本実施形態の空気調和装置（10）は、冷暖房を行う通常運転と、エアフィルタ（40）の清掃を行うフィルタ清掃運転とが切換可能に構成されている。
【００６８】
まず、通常運転では、圧縮機（30）、室外ファン（12）および室内ファン（39）が駆動される。室内ユニット（13）では、室内空気が吸込口（22）から吸い込まれてベルマウス（25）を通過した後、室内ファン（39）から吹き出される。この吹出空気は、室内熱交換器（37）の冷媒と熱交換して冷却または加熱された後、各吹出口（23）から室内へ供給される。
【００６９】
例えば図２に示すように、エアフィルタ（40）は、ベルマウス（25）の流入口を覆う位置に配置されているため、吸込口（22）から吸い込まれた室内空気は、ベルマウス（25）に流入する前にエアフィルタ（40）を通過し、その際に該エアフィルタ（40）に塵埃が捕捉される。
【００７０】
次に、フィルタ清掃運転（フィルタ清掃動作）について、図２、図４及び図５を参照しながら説明する。このフィルタ清掃運転では、エアフィルタ（40）に捕捉された塵埃を除去するフィルタ塵埃除去動作と、吸込グリル（29）に付着した塵埃を除去するグリル塵埃除去動作とが行われる。なお、以下の説明では、上記フィルタ塵埃除去動作とグリル塵埃除去動作とを同時に行う場合について説明しているが、この限りではなく、該フィルタ塵埃除去動作とグリル塵埃除去動作とを別々に行ってもよいし、片方の動作のみを行うようにしてもよい。
【００７１】
まず、フィルタ清掃運転では、室内ファン（39）が停止される。そして、フィルタ塵埃除去動作として、フィルタ用塵埃貯留容器（55）及び回転ブラシ（51）を移動させるための移動機構（70）のモータ（図示省略）が駆動され、これにより、プーリ（71,72）が回転して該移動機構（70）のベルト（73）が回転する。ここで、上記移動機構（70）は、ベルト（73）の回転方向が図６において時計回り（図２において左から右へ移動するような回転方向）になるように制御される。このようにベルト（73）が回転することで、該ベルト（73）の外周面上に一体に形成された突起部（73a）が上記フィルタ用塵埃貯留容器（55）に当接して、該フィルタ用塵埃貯留容器（55）に対して図２の右方向への力を付与する。したがって、上記フィルタ用塵埃貯留容器（55）は、上記ベルト（73）の回転によって、図５に示すように右方向へ移動する。
【００７２】
以上より、フィルタ塵埃除去手段（50）の回転ブラシ（51）は、エアフィルタ（40）の室内側の面に当接しながら移動し、これにより、該エアフィルタ（40）に捕捉された塵埃を除去する。このとき、上記回転ブラシ（51）によって除去された塵埃は、フィルタ用塵埃貯留容器（55）内に貯留される。
【００７３】
そして、上記フィルタ用塵埃貯留容器（55）が図２の右側の所定位置まで到達すると、上記移動機構（70）のモータの回転方向を逆回転にして、上記ベルト（73）を図６において反時計回りに回転させる。これにより、上記フィルタ用塵埃貯留容器（55）に当接していたベルト（73）の一方の突起部（73a）が、該フィルタ用塵埃貯留容器（55）から離間する一方、該ベルト（73）の他方の突起部（73a）が該フィルタ用塵埃貯留容器（55）に近づいて当接する。その後、上記ベルト（73）の回転に伴い、上記他方の突起部（73a）によって上記フィルタ用塵埃貯留容器（55）を図２の位置まで戻す。この際も、上記回転ブラシ（51）によって、エアフィルタ（40）の室内側の面に捕捉された塵埃を除去するため、該エアフィルタ（40）に捕捉された塵埃をより確実に除去することができる。
【００７４】
グリル塵埃除去動作としては、まず、昇降機構（80）のモータ（82,82）を駆動させて、ワイヤー（81,81）を巻き取る。これにより、該ワイヤー（81,81）に接続された吸込グリル（29）は上方へ移動し、該吸込グリル（29）は図４に示すように、ケーシング（34）内の所定高さに位置付けられる。なお、この所定高さとは、後述するように、グリル塵埃除去手段（60）の回転ブラシ（61）及びグリル用塵埃貯留容器（65）がケーシング（34）外に突出することなく、上記吸込グリル（29）の室内側の面を移動可能な高さ位置である。
【００７５】
そして、上述のように上記吸込グリル（29）が所定高さに位置付けられた状態（図４の状態）で、上記フィルタ塵埃除去動作と同様、移動機構（70）のモータが駆動され、ベルト（73）が図６において時計回り（図２で左から右へ移動するような回転方向）に回転する。これにより、該ベルト（73）の外周面に一体形成された突起部（73a）が上記グリル用塵埃貯留容器（65）に対して図２の右方向への力を付与する。したがって、上記グリル用塵埃貯留容器（65）は、上記ベルト（73）の回転によって、図５に示すように右方向へと移動する。
【００７６】
以上より、上記フィルタ塵埃除去動作と同様、グリル塵埃除去手段（60）の回転ブラシ（61）は、吸込グリル（29）に当接しながら移動し、これにより、該吸込グリル（29）に付着した塵埃を除去する。このとき、上記回転ブラシ（61）によって除去された塵埃は、グリル用塵埃貯留容器（65）内に貯留される。
【００７７】
また、上記フィルタ塵埃除去動作と同様、上記グリル用塵埃貯留容器（65）が図２の右側の所定位置まで到達すると、上記移動機構（70）のモータを逆回転にして、上記ベルト（73）を図６において反時計回りに回転させる。これにより、ベルト（73）の一方の突起部（73a）が、グリル用塵埃貯留容器（65）から離間する一方、該ベルト（73）の他方の突起部（73a）が該グリル用塵埃貯留容器（65）に近づいて当接する。その後、上記ベルト（73）の回転に伴い、上記他方の突起部（73a）によって上記グリル用塵埃貯留容器（65）を図２の位置まで戻す。この際も、上記回転ブラシ（61）によって、エアフィルタ（40）の室内側の面に捕捉された塵埃を除去するため、該エアフィルタ（40）に捕捉された塵埃をより確実に除去することができる。
【００７８】
そして、上述のように、上記グリル用塵埃貯留容器（65）が図２の位置に戻ってきた後、上記昇降機構（80）のモータ（82,82）も逆回転させて、上記吸込グリル（29）に接続されているワイヤー（81,81）を巻き戻すことにより、該吸込グリル（29）を上記図２の位置まで降ろす。
【００７９】
なお、上記フィルタ用塵埃貯留容器（55）及びグリル用塵埃貯留容器（65）内に貯留された塵埃は、該フィルタ用塵埃貯留容器（55）及びグリル用塵埃貯留容器（65）をケーシング（34）内から取り外すことにより、容易に回収することができる。
【００８０】
−実施形態１の効果−
以上より、この実施形態では、室内ファン（39）の吸込側に位置する吸込グリル（29）に付着した塵埃を除去するためのグリル塵埃除去手段（60）を設けたため、該吸込グリル（29）に塵埃が付着して室内側からの見栄えが悪化したり、振動や風の流れ等によって塵埃が室内に落下したりするのを確実に防止することができる。しかも、上述のようにグリル塵埃除去手段（60）を設けることにより、天井面近くで該吸込グリル（29）に付着した塵埃を除去する作業を行う必要がなくなり、該吸込グリル（29）から塵埃を容易に除去することができる。
【００８１】
また、上記グリル塵埃除去手段（60）で除去した塵埃を貯留するためのグリル用塵埃貯留容器（65）を設けたため、塵埃を該グリル用塵埃貯留容器（65）内に一旦、溜めてから回収することが可能となり、該塵埃の回収頻度を低減することができる。
【００８２】
また、上記吸込グリル（29）の昇降機構（80）を設けて、上記グリル塵埃除去手段（60）で吸込グリル（29）から塵埃を除去する場合に、該吸込グリル（29）を昇降機構（80）によって上昇させるようにしたため、該グリル塵埃除去手段（60）をケーシング（34）内で移動させて上記吸込グリル（29）の室内側の面に付着した塵埃を除去することが可能になる。したがって、上記グリル塵埃除去手段（60）やグリル用塵埃貯留容器（65）がケーシング（34）外に突出した状態で配置されるのを防止でき、室内ユニット（13）の室内側の外観を損ねるのを防止できる。
【００８３】
また、上記室内ファン（39）の吸込側に位置するエアフィルタ（40）に対しても、該エアフィルタ（40）に捕捉された塵埃を除去するためのフィルタ塵埃除去手段（50）を設けたため、該エアフィルタ（40）が塵埃によって目詰まりを生じるのを防止でき、しかも、該エアフィルタ（40）の塵埃除去のために高所作業を行うことなく、該エアフィルタ（40）に捕捉された塵埃を容易に除去することができる。さらに、上記フィルタ塵埃除去手段（50）によって除去された塵埃を捕集するためのフィルタ用塵埃貯留容器（55）を設けることで、該フィルタ用塵埃貯留容器（55）内に塵埃を一旦、貯留することができ、塵埃の回収頻度の低減を図れる。
【００８４】
《実施形態２》
次に、本発明の実施形態２について図９に基づいて説明する。なお、本実施形態は、図９に示すように、一つの塵埃除去手段及び塵埃貯留容器が室内ユニット（13）内を回転して、エアフィルタ（40）及び吸込グリル（29）の室内側の面を清掃するように構成されている点が上記実施形態１と異なるだけなので、同じ部分には同じ符号を付し、異なる部分について以下で説明する。
【００８５】
具体的には、上記実施形態１と同様、塵埃除去手段（90）としての回転ブラシ（91）が塵埃貯留容器（95）の上面に形成されたブラシ用開口（96）内に配置されている。そして、ケーシング（34）のエアフィルタ（40）の下方の空間内には、上記塵埃貯留容器（95）を該空間内で移動させるための移動機構（100）が設けられている。この移動機構（100）は、２つのプーリ（101,102）とそれらに懸架されたベルト（103）とを備えている。また、上記移動機構（100）は、図９に示すように、上記吸込グリル（29）を昇降機構（80）によって上方に吊り上げた状態で、該吸込グリル（29）の上下面に沿うように上記塵埃貯留容器（95）を移動させるよう構成されている。すなわち、上記移動機構（100）は、側面視で上記塵埃貯留容器（95）が吸込グリル（29）の周りを回るように構成されている。
【００８６】
なお、上記２つのプーリ（101,102）のうち少なくとも一方のプーリは、図示しないモータに駆動連結されている。また、上記塵埃貯留容器（95）は、エアフィルタ（40）及び吸込グリル（29）に対して回転ブラシ（91）が常に接触するように（例えば回動可能に）、上記ベルト（103）と接続されている。
【００８７】
−実施形態２の効果−
以上より、この実施形態では、室内ファン（39）の吸込側に位置するエアフィルタ（40）及び吸込グリル（29）の両方の室内側の面を清掃する共通の塵埃除去手段（90）及び塵埃貯留容器（95）を設けたため、該エアフィルタ（40）及び吸込グリル（29）に対して塵埃除去手段及び塵埃貯留容器をそれぞれ設ける場合に比べて、塵埃除去手段及び塵埃貯留容器の数を減らすことができ、その分、室内ユニット（13）の構成の簡略化及びコスト低減を図れる。
【００８８】
また、上述のように、塵埃除去手段及び塵埃貯留容器を共通化することで、上記エアフィルタ（40）及び吸込グリル（29）にそれぞれ設ける場合に比べて、メンテナンスの手間を軽減することが可能となる。すなわち、例えば、塵埃貯留容器内から塵埃を回収する際も、一つの塵埃貯留容器（95）から塵埃を回収すればよいため、複数の塵埃貯留容器から塵埃回収を行う場合に比べて回収の手間を軽減することができる。
【００８９】
《その他の実施形態》
上記実施形態は、以下のように構成してもよい。
【００９０】
例えば、上記各実施形態では、エアフィルタ（40）や吸込グリル（29）から除去した塵埃を塵埃貯留容器（55,65）内に貯留するようにしているが、この限りではなく、該塵埃貯留容器（55,65）とは別に、ケーシング（34）外により容量の大きい塵埃捕集箱を設けるようにしてもよい。このような塵埃捕集箱を設けることで、塵埃回収の頻度をさらに低減することができる。なお、上記塵埃捕集箱内に塵埃を搬送する場合には、例えば室内ファン（39）の風等を利用してケーシング（34）外に搬送すればよい。
【００９１】
また、上記各実施形態では、塵埃貯留容器（55,65,95）の移動機構（70,100）として、プーリ（71,72,101,102）及びベルト（73,103）を用いているが、この限りではなく、該塵埃貯留容器（55,65,95）を水平方向に移動させることのできる構成であればどのような構成であってもよい。
【００９２】
また、上記各実施形態では、吸込グリル（29）を昇降機構（80）によって上方に位置付けた状態で、該吸込グリル（29）に付着した塵埃を除去するようにしているが、この限りではなく、上記吸込グリル（29）を昇降させる機構を設けずに、該吸込グリル（29）を図２の位置で塵埃の除去を行うような構成にしてもよい。なお、この場合には、塵埃除去手段や塵埃貯留容器が、ケーシング（34）の室内側に突出した状態で配置される。
【産業上の利用可能性】
【００９３】
以上説明したように、本発明は、室内ファンの吸込側にグリル部が設けられた空気調和装置の室内ユニットに特に有用である。
【図面の簡単な説明】
【００９４】
【図１】本発明の実施形態に係る塵埃捕集箱を備えた空気調和装置の構成を示す配管系統図である。
【図２】ケーシング内の構成を示す縦断面図である。
【図３】室内から見た室内ユニットを示す図である。
【図４】吸込グリルを上昇させた状態を示す図２相当図である。
【図５】エアフィルタ及び吸込グリルの塵埃除去をしている状態を示す図２相当図である。
【図６】移動機構の概略構成を示す側面図である。
【図７】移動機構の概略構成を示す平面図である。
【図８】ガイド部材と塵埃貯留容器との係合部分を拡大して示す斜視図である。
【図９】実施形態２に係る室内ユニットのケーシング内の構成を示す縦断面図である。
【符号の説明】
【００９５】
10      空気調和装置
13      室内ユニット
26      ケーシング本体
29      吸込グリル（グリル部）
34      ケーシング
37      室内熱交換器
39      室内ファン
40      エアフィルタ
50      フィルタ塵埃除去手段
51      回転ブラシ
55      フィルタ用塵埃貯留容器（フィルタ用塵埃捕集部）
60      グリル塵埃除去手段
61      回転ブラシ
65      グリル用塵埃貯留容器（グリル用塵埃捕集部）
70      移動機構
80      昇降機構（グリル昇降手段）
90      塵埃除去手段
91      回転ブラシ
95      塵埃貯留容器（塵埃捕集部）
【図１】
2009008303.tif 000003
【図２】
2009008303.tif 000004
【図３】
2009008303.tif 000005
【図４】
2009008303.tif 000006
【図５】
2009008303.tif 000007
【図６】
2009008303.tif 000008
【図７】
2009008303.tif 000009
【図８】
2009008303.tif 000010
【図９】
2009008303.tif 000011